(57)【要約】【課題】従来技術の問題点を改善することが可能な焦点可変・色温度可変照明器具を提供する。【解決手段】焦点可変・色温度可変照明器具は、放熱筐体１０、ＬＥＤ端子台２０、位置決めベース３０、焦点調整ベース６０、装着ベース４０及びレンズ５０を備える。ＬＥＤ端子台２０内には、ＬＥＤランプ１１０が設けられる。ＬＥＤ端子台２０は、放熱筐体１０内に取付けられる。位置決めベース３０は、ＬＥＤ端子台２０上に取付けられる。レンズ５０は、装着ベース４０上に取付けられる。装着ベース４０と焦点調整ベース６０とが組み合わされて位置決めベース３０上に取付けられる。位置決めベース３０の内側面には、螺旋方向に延びた案内溝３２が形成される。焦点調整ベース６０は、上座部６１と、上座部６１の底部に接続された下座部６２とを有する。下座部６２は、２つのガイド溝６３を有する。【選択図】図２
0003231610.tif 000002
【実用新案登録請求の範囲】
【請求項１】
放熱筐体、ＬＥＤ端子台、位置決めベース、焦点調整ベース、装着ベース及びレンズを備えた、焦点可変・色温度可変照明器具であって、
前記ＬＥＤ端子台内には、ＬＥＤランプが設けられ、
前記ＬＥＤ端子台は、前記放熱筐体内に取付けられ、
前記位置決めベースは、前記ＬＥＤ端子台上に取付けられ、
前記レンズは、前記装着ベース上に取付けられ、
前記装着ベースと前記焦点調整ベースとが組み合わされて前記位置決めベース上に取付けられ、
前記位置決めベースの内側面には、螺旋方向に延びた案内溝が形成され、
前記焦点調整ベースは、上座部と、前記上座部の底部に接続された下座部と、を有し、
前記下座部は、２つのガイド溝を有し、
前記装着ベースの外側面には、２つの案内ブロックが突設され、
前記装着ベースの前記２つの案内ブロックは、前記焦点調整ベースの前記ガイド溝内に係合され、前記装着ベースの前記２つの案内ブロックが前記案内溝上に係合されることを特徴とする、焦点可変・色温度可変照明器具。
【請求項２】
前記上座部の外径は、前記下座部の外径より大きい上、前記上座部及び前記下座部は中空構造に成形されることを特徴とする請求項１に記載の焦点可変・色温度可変照明器具。
【請求項３】
前記放熱筐体全体は筒状に成形され、
前記放熱筐体の内側面は、中央部近くに固定台が設けられ、
前記固定台の中央部は、一側に向かって延び、位置規制部が形成され、
前記ＬＥＤ端子台は、底板と、前記底板の外周表面に接続された係合環と、を有し、
前記底板の中央部は、内側に凹んで位置規制溝が形成され、
前記固定台の前記位置規制部は、前記ＬＥＤ端子台の前記位置規制溝と組み合わされ、
前記ＬＥＤランプは、前記位置規制部と前記位置規制溝との間に配設されることを特徴とする請求項１に記載の焦点可変・色温度可変照明器具。
【請求項４】
前記固定台の断面は、「几」字状に形成され、
前記固定台の最外側の縁部は、前記放熱筐体の内側面に接続されることを特徴とする請求項３に記載の焦点可変・色温度可変照明器具。
【請求項５】
支持部、調光電源及び後蓋をさらに備え、
前記調光電源は、前記放熱筐体内の後端近くに設けられ、
前記後蓋は、前記放熱筐体の後端に取付けられ、
前記支持部は、前記後蓋上に取付けられることを特徴とする請求項１に記載の焦点可変・色温度可変照明器具。
【請求項６】
前記調光電源は、前記ＬＥＤランプに接続され、前記調光電源により前記ＬＥＤランプの駆動を制御し、前記調光電源上には、制御スイッチが設けられ、
前記制御スイッチは、ＬＥＤの駆動を制御し、前記ＬＥＤランプが駆動するときの色温度を調整することを特徴とする請求項５に記載の焦点可変・色温度可変照明器具。
【請求項７】
引き上げキーをさらに備え、
前記引き上げキーは、前記後蓋の外側に設けられ、
前記引き上げキーは、前記制御スイッチに接続され、前記引き上げキーを摺動させて前記制御スイッチの位置を調整することを特徴とする請求項６に記載の焦点可変・色温度可変照明器具。
【請求項８】
係合環の内側面には、複数組のリブが設けられ、
各組の前記リブは、２つのリブをそれぞれ含み、同じ組の前記２つのリブ間には嵌合溝が形成され、
前記位置決めベースの外側面には、前記嵌合溝に対応した係合凸部が設けられ、
前記位置決めベースの前記係合凸部は、前記ＬＥＤ端子台の嵌合溝内に係合されることを特徴とする請求項１に記載の焦点可変・色温度可変照明器具。
【請求項９】
係合環の内側面には、係合ピンが設けられ、
前記位置決めベースの頂端には、フックが設けられ、
前記位置決めベースの前記フックの底端は、前記係合環の内側面の前記係合ピンの頂端に係合されることを特徴とする請求項１に記載の焦点可変・色温度可変照明器具。
【請求項１０】
前記ガイド溝は、水平部、垂直部及び係入部を含み、
前記水平部の両側は、前記垂直部及び前記係入部とそれぞれ連通し、
前記係入部は、前記下座部の最端部まで延びることを特徴とする請求項１に記載の焦点可変・色温度可変照明器具。
【請求項１１】
前記係入部は、前記水平部に近い両側に設けられた係合ブロックを有することを特徴とする請求項１０に記載の焦点可変・色温度可変照明器具。
【考案の詳細な説明】
【技術分野】
【０００１】
本考案は、焦点可変・色温度可変照明器具に関するものである。
【背景技術】
【０００２】
従来、トラックライト、スポットライト又は他のタイプの照明器具は、焦点可変機能を有する上、ある状況下での応用には機能が制限されているため、使用者にとって不便であった。
【考案の概要】
【考案が解決しようとする課題】
【０００３】
従って、本考案の課題は、前記の如き従来技術の問題点を改善することが可能な焦点可変・色温度可変照明器具を提供することにある。
【課題を解決するための手段】
【０００４】
上記課題を解決するために、本考案の第１の形態によれば、放熱筐体、ＬＥＤ端子台、位置決めベース、焦点調整ベース、装着ベース及びレンズを備えた、焦点可変・色温度可変照明器具であって、前記ＬＥＤ端子台内には、ＬＥＤランプが設けられ、前記ＬＥＤ端子台は、前記放熱筐体内に取付けられ、前記位置決めベースは、前記ＬＥＤ端子台上に取付けられ、前記レンズは、前記装着ベース上に取付けられ、前記装着ベースと前記焦点調整ベースとが組み合わされて前記位置決めベース上に取付けられ、前記位置決めベースの内側面には、螺旋方向に延びた案内溝が形成され、前記焦点調整ベースは、上座部と、前記上座部の底部に接続された下座部と、を有し、前記下座部は、２つのガイド溝を有し、前記装着ベースの外側面には、２つの案内ブロックが突設され、前記装着ベースの前記２つの案内ブロックは、前記焦点調整ベースの前記ガイド溝内に係合され、前記装着ベースの前記２つの案内ブロックが前記案内溝上に係合されることを特徴とする、焦点可変・色温度可変照明器具を提供する。
【図面の簡単な説明】
【０００５】
【図１】本考案の一実施形態に係る焦点可変・色温度可変照明器具を示す斜視図である。
【図２】図１の焦点可変・色温度可変照明器具を示す分解斜視図である。
【図３】図１の焦点可変・色温度可変照明器具を示す断面図である。
【図４】図１の焦点可変・色温度可変照明器具を示す上視図である。
【図５】図１の焦点調整ベースを示す拡大図である。
【図６】図１の後蓋の別の角度からの斜視図である。
【図７】図１のＬＥＤ端子、位置決めベース及び焦点調整ベースを組み合わせたときの状態を示す組立図である。
【考案を実施するための形態】
【０００６】
本考案の技術手段及びそれにより達成可能な効果を、より完全かつ明白に開示するために、開示した添付の図面及び符号と併せて本考案を以下に詳説する。もっとも、本考案は、かかる図面等により限定されるものではない。
【０００７】
図１〜図３を参照する。図１〜図３に示すように、本考案の一実施形態に係る焦点可変・色温度可変照明器具は、トラックライト、スポットライト又は他の種類の照明装置でもよい。上述した焦点可変・色温度可変照明器具は、支持部９０、放熱筐体１０、調光電源７０、後蓋８０、ＬＥＤ端子台２０、位置決めベース３０、焦点調整ベース６０、装着ベース４０及びレンズ５０を含む。上述したＬＥＤ端子台２０内には、ＬＥＤランプ１１０が設けられる。上述したＬＥＤ端子台２０は、放熱筐体１０内に取付けられる。上述した位置決めベース３０は、ＬＥＤ端子台２０上に取付けられる。上述したレンズ５０は、装着ベース４０内に取付けられる。上述した装着ベース４０と焦点調整ベース６０とが組み合わされ、位置決めベース３０上に取付けられる。上述した調光電源７０は、放熱筐体１０内の後端近くに設けられる。上述した後蓋８０は、放熱筐体１０の後端に取付けられる。上述した支持部９０は、後蓋８０上に取付けられる。支持部９０は、後蓋８０上で旋回可能である。
【０００８】
上述した放熱筐体１０全体は筒状に成形される。放熱筐体１０の内側面は、中央部近くに固定台１１が設けられる。上述した固定台１１は、放熱筐体１０を第１の空間１２と第２の空間１３とに分離する。上述したＬＥＤ端子台２０は、第１の空間１２内に設置される。上述した調光電源７０は、第２の空間１３内に設置される。上述した固定台１１の断面は、「几」字状に形成される。固定台１１の最外側の縁部は、放熱筐体１０の内側面に接続される。上述した固定台１１の中央部は、第１の空間１２に向かって延び、位置規制部１１１が形成される。
【０００９】
上述したＬＥＤ端子台２０は、底板２１と、底板２１の外周表面に接続された係合環２２と、を含む。上述した底板２１の中央部は、内側に凹んで位置規制溝２３が形成される。上述した係合環２２の内側面には、複数組のリブ２４が設けられる。各組のリブ２４は、２つのリブをそれぞれ含み、同じ組の２つのリブ間には嵌合溝２５が形成される。上述した係合環２２の内側面には、係合ピン２６が設けられる。上述したＬＥＤ端子台２０の底板２１上には、挿設孔２７が形成される。上述した挿設孔２７には、ねじ軸２８が下から上方向にかけて挿設され、上述したねじ軸２８は、放熱筐体１０の位置規制ベース１４に挿設され、後蓋８０のねじ孔８１に螺着され、ＬＥＤ端子台２０及び後蓋８０が放熱筐体１０内にねじ止めされる。
【００１０】
上述した位置決めベース３０の外側面には、嵌合溝２５に対応した係合凸部３１が設けられ、位置決めベース３０の内側面には、螺旋方向に延びた案内溝３２が形成されている。上述した位置決めベース３０の頂端には、フック３３が設けられる。上述した焦点調整ベース６０は、上座部６１と、上座部６１の底部に接続された下座部６２と、を含む。上述した上座部６１の外径は、下座部６２の外径より大きく、上座部６１及び下座部６２は中空構造に形成される。上述した下座部６２は、２つのガイド溝６３を有する。ガイド溝６３は、水平部６４、垂直部６５及び係入部６６を含む。上述した水平部６４の両側は、垂直部６５及び係入部６６にそれぞれ連通する。上述した係入部６６は、下座部６２の最端部まで延びる。上述した係入部６６は、水平部６４に近い両側に係合ブロック６７がそれぞれ設けられる。上述した装着ベース４０の外側面には、２つの案内ブロック４１が突設される。
【００１１】
実際に組み立てるときは、上述したレンズ５０を装着ベース４０内に取付ける。上述した装着ベース４０の２つの案内ブロック４１は、焦点調整ベース６０の係入部６６から係入され、焦点調整ベース６０のガイド溝６３内に係合され、焦点調整ベース６０が位置決めベース３０上に取付けられ、焦点調整ベース６０の下座部６２が位置決めベース３０に挿通され、装着ベース４０の２つの案内ブロック４１が案内溝３２上に係合される。上述したＬＥＤ端子台２０は、放熱筐体１０の固定台１１上に取付けられる。上述した固定台１１の位置規制部１１１を、ＬＥＤ端子台２０の位置規制溝２３と組み合わせ、ＬＥＤランプ１１０は、位置規制部１１１と位置規制溝２３との間に配設される。位置規制溝２３の溝底は、透光孔である。上述した位置決めベース３０とＬＥＤ端子台２０とを対応して組み合わせる。上述した位置決めベース３０の係合凸部３１は、ＬＥＤ端子台２０の嵌合溝２５内に係合される。上述した位置決めベース３０のフック３３の底端は、係合環２２の内側面の係合ピン２６の頂端に係合され、位置決めベース３０がＬＥＤ端子台２０内に位置拘束される。
【００１２】
上述した調光電源７０は、ＬＥＤランプ１１０と接続され、調光電源７０によりＬＥＤランプ１１０の駆動を制御する。調光電源７０上には、制御スイッチ７１が設けられる。上述した制御スイッチ７１は、ＬＥＤの駆動を制御し、ＬＥＤランプ１１０が駆動するときの色温度を調整する。本考案の焦点可変・色温度可変照明器具は、引き上げキー１００をさらに備えてもよい。上述した引き上げキー１００は、後蓋８０の外側に設けられてもよい。上述した引き上げキー１００は、制御スイッチ７１に接続され、引き上げキー１００を摺動させて制御スイッチ７１の位置を調整してもよい。
【００１３】
実際に使用する際、焦点調整ベース６０を旋回させると、焦点調整ベース６０がガイド溝６３を介して装着ベース４０を旋回させ、装着ベース４０の２つの案内ブロック４１が位置決めベース３０の案内溝３２上に係合される。焦点調整ベース６０の旋回過程において、案内ブロック４１は、案内溝３２に沿って移動し、案内溝３２により案内され、装着ベース４０が回転しながら前方又は後方に移動し、レンズ５０の位置を調整し、焦点を調整することができる。焦点を調整できるというのは、いいかえると、スポットの大きさあるいは配光を調整できるといってもよい。
【００１４】
本考案の焦点可変・色温度可変照明器具は、装着ベース４０の位置が調整可能であり、レンズ５０を装着ベース４０上に取付け、焦点を調整することができるため、焦点調整構造全体が簡素であり、使用寿命に基いて調整し、調光電源７０によりＬＥＤランプ１１０の色温度を調整することができる。
【符号の説明】
【００１５】
１０  放熱筐体
１１  固定台
１２  第１の空間
１３  第２の空間
１４  位置規制ベース
２０  ＬＥＤ端子台
２１  底板
２２  係合環
２３  位置規制溝
２４  リブ
２５  嵌合溝
２６  係合ピン
２７  挿設孔
２８  ねじ軸
３０  位置決めベース
３１  係合凸部
３２  案内溝
３３  フック
４０  装着ベース
４１  案内ブロック
５０  レンズ
６０  焦点調整ベース
６１  上座部
６２  下座部
６３  ガイド溝
６４  水平部
６５  垂直部
６６  係入部
６７  係合ブロック
７０  調光電源
７１  制御スイッチ
８０  後蓋
８１  ねじ孔
９０  支持部
１００  引き上げキー
１１０  ＬＥＤランプ
１１１  位置規制部
【図１】
0003231610.tif 000003
【図２】
0003231610.tif 000004
【図３】
0003231610.tif 000005
【図４】
0003231610.tif 000006
【図５】
0003231610.tif 000007
【図６】
0003231610.tif 000008
【図７】
0003231610.tif 000009